(57)【要約】【課題】第１の読取情報を含む第１の面と第２の読取情報を含む第２の面とを備える貼付物を用いて、利便性の高い正規品の判定を行う仕組みを提供すること。【解決手段】第１の読取情報を含む第１の面のシートと第２の読取情報を含む第２の面のシートとを備え、前記第１の面のシートを剥がすことで前記第２の面の第２の読取情報を読み取ることが可能な貼付物のそれぞれの面に対応する読取情報の正となる識別情報を記憶し、前記第１の面又は前記第２の面の識別情報を取得し、記憶されている正となる識別情報に基づき、取得された識別情報と一致するかを判定する。前記第１の面の識別情報と一致が判定された場合に、正規であることを示す結果を出力し、前記第２の面の識別情報が繰り返し一致が判定される場合に、非正規扱いとなることを示す結果を出力する。また、その貼付物。【選択図】図４
2018055529.tif 000002
【特許請求の範囲】
【請求項１】
第１の読取情報を含む第１の面のシートと第２の読取情報を含む第２の面のシートとを備え、前記第１の面のシートを剥がすことで前記第２の面の第２の読取情報を読み取ることが可能な貼付物のそれぞれの面に対応する読取情報の正となる識別情報を記憶する第１の記憶手段と、
前記第１の面又は前記第２の面の読取情報を携帯端末で読み取ることで得られる識別情報を取得する第１の取得手段と、
前記第１の記憶手段に記憶されている正となる識別情報に基づき、前記第１の取得手段に取得された識別情報と一致するかを判定する第１の判定手段と、
前記第１の面の読取情報が読み取られ、前記第１の判定手段により読取情報から得られた識別情報と一致が判定された場合に、正規であることを示す結果を出力し、前記第２の面の読取情報が繰り返し読み取られ、前記第１の判定手段により繰り返し一致が判定される場合に、非正規扱いとなることを示す結果を出力する出力手段と
を備えることを特徴とする情報処理装置。
【請求項２】
前記出力手段は、前記第２の面の読取情報が読み取られ、前記第１の判定手段による一致が初回の判定であった場合に、正規であることを示す結果を出力することを特徴とする請求項１に記載の情報処理装置。
【請求項３】
前記第１の取得手段で前記第２の面の読取情報を読み取ることで得られる識別情報を取得し、前記第１の判定手段で識別情報が一致すると判定された場合に、前記第１の面の読取情報から得られる識別情報を取得する第２の取得手段と、
前記第２の取得手段により取得した第１の面の読取情報に対応する識別情報を登録する登録手段と
を更に備えることを特徴とする請求項２に記載の情報処理装置。
【請求項４】
前記第１の取得手段で前記第１の面の読取情報を読み取ることで得られた識別情報を取得した場合、前記登録手段により当該識別情報が記憶されているか否かを判定する第２の判定手段を更に備え、
前記出力手段は、前記第２の判定手段により識別情報が登録されている場合には、登録済みであることを示す結果を出力することを特徴とする請求項３に記載の情報処理装置。
【請求項５】
前記第１の面および前記第２の面に対応する読取情報から得られた識別情報の判定に係る設定情報を記憶する第２の記憶手段と、
前記第１の判定手段により、識別情報が一致すると判定された場合に、それぞれの面に対応する前記第２の記憶手段に記憶されている設定情報に従って、判定結果を決定する決定手段と
を更に備えることを特徴とする請求項１乃至４のいずれか１項に記載の情報処理装置。
非正規扱いとなることを示す結果は、前記第２の面が繰り返し読み取られ、正規でない可能性を示す結果であることを特徴とする請求項１乃至４のいずれか１項に記載の情報処理装置。
【請求項６】
第１の読取情報を含む第１の面のシートと第２の読取情報を含む第２の面のシートとを備え、前記第１の面のシートを剥離することにより前記第２の面が現れる貼付物であって、
台材と当該台材を覆う透明となる外装物とを備える梱包物において前記台材に貼り付けられ、前記第１の面の読取情報が携帯端末により梱包物の開封前に読み取られ、梱包物の開封後に前記第１の面のシートが剥離され携帯端末により第２の面の読取情報が読み取られる貼付物。
【請求項７】
第１の読取情報を含む第１の面のシートと第２の読取情報を含む第２の面のシートとを備え、前記第１の面のシートを剥がすことで前記第２の面の第２の読取情報を読み取ることが可能な貼付物のそれぞれの面に対応する読取情報の正となる識別情報を記憶する第１の記憶手段を備える情報処理装置の処理方法であって、
前記第１の面又は前記第２の面の読取情報を携帯端末で読み取ることで得られる識別情報を取得する第１の取得ステップと、
前記第１の記憶手段に記憶されている正となる識別情報に基づき、前記第１の取得ステップに取得された識別情報と一致するかを判定する第１の判定ステップと、
前記第１の面の読取情報が読み取られ、前記第１の判定ステップにより読取情報から得られた識別情報と一致が判定された場合に、正規であることを示す結果を出力し、前記第２の面の読取情報が繰り返し読み取られ、前記第１の判定ステップにより繰り返し一致が判定される場合に、非正規扱いとなることを示す結果を出力する出力ステップと
を含むことを特徴とする処理方法。
【請求項８】
第１の読取情報を含む第１の面のシートと第２の読取情報を含む第２の面のシートとを備え、前記第１の面のシートを剥がすことで前記第２の面の第２の読取情報を読み取ることが可能な貼付物のそれぞれの面に対応する読取情報の正となる識別情報を記憶する第１の記憶手段を備える情報処理装置のプログラムであって、
前記情報処理装置を、
前記第１の面又は前記第２の面の読取情報を携帯端末で読み取ることで得られる識別情報を取得する第１の取得手段と、
前記第１の記憶手段に記憶されている正となる識別情報に基づき、前記第１の取得手段に取得された識別情報と一致するかを判定する第１の判定手段と、
前記第１の面の読取情報が読み取られ、前記第１の判定手段により読取情報から得られた識別情報と一致が判定された場合に、正規であることを示す結果を出力し、前記第２の面の読取情報が繰り返し読み取られ、前記第１の判定手段により繰り返し一致が判定される場合に、非正規扱いとなることを示す結果を出力する出力手段
として機能させるためのプログラム。
【発明の詳細な説明】
【技術分野】
【０００１】
物品の正規品判定を行う情報処理装置とその処理方法、及びプログラム、貼付物に関する。
【背景技術】
【０００２】
近年、偽造された商品が市場に出回ることがあり、各メーカは偽造品が出回らないような対策を強化している。
【０００３】
一方購入者は、購入する商品が偽造品でないかを確認することを求めている。そのため、梱包材に印刷されたユニークな二次元コードを読取り真偽判定をするシステム、いわゆる正規品を判定するシステムが存在する（特許文献１）。
【０００４】
このように、特許文献１の技術を用いることで購入者は、購入する商品が偽造品でないかを確認して、購入することが可能であるものの、何度読み取っても正規品として結果が表示されるため、シールが不正にコピーされた場合に、偽造品に不正シールが貼られ、正確な真贋判定（正規品判定）ができない場合が存在する。
【０００５】
そのため、より精度の高い真贋判定（正規品判定）が求められることから、ＩＣチップを備えるシールを用いて、真贋判定する技術も存在している（特許文献２）。
【先行技術文献】
【特許文献】
【０００６】
【特許文献１】特開２００８−２９３２８４号公報
【特許文献２】特開２０１３−２９８６５号公報
【発明の概要】
【発明が解決しようとする課題】
【０００７】
しかしながら、ＩＣチップを備えるシールはコストが高く、利用が限られ、利便性が低いという問題があった。
【０００８】
特に、正規品判定で用いるシールのコストを抑え、利便性の高い正規品判定ができる（例えば、購入時に簡単に判定させつつ、より精度の高い正規品判定ができる）仕組みが望まれていた。
【０００９】
そこで、本願発明の目的は、第１の読取情報を含む第１の面と第２の読取情報を含む第２の面とを備える貼付物を用いて、利便性の高い正規品の判定を行う仕組みを提供することである。
【課題を解決するための手段】
【００１０】
本発明の目的を達成するために、第１の読取情報を含む第１の面のシートと第２の読取情報を含む第２の面のシートとを備え、前記第１の面のシートを剥がすことで前記第２の面の第２の読取情報を読み取ることが可能な貼付物のそれぞれの面に対応する読取情報の正となる識別情報を記憶する第１の記憶手段と、前記第１の面又は前記第２の面の読取情報を携帯端末で読み取ることで得られる識別情報を取得する第１の取得手段と、前記第１の記憶手段に記憶されている正となる識別情報に基づき、前記第１の取得手段に取得された識別情報と一致するかを判定する第１の判定手段と、前記第１の面の読取情報が読み取られ、前記第１の判定手段により読取情報から得られた識別情報と一致が判定された場合に、正規であることを示す結果を出力し、前記第２の面の読取情報が繰り返し読み取られ、前記第１の判定手段により繰り返し一致が判定される場合に、非正規扱いとなることを示す結果を出力する出力手段とを備えることを特徴とする。
【００１１】
また、本発明の目的を達成するための第１の読取情報を含む第１の面のシートと第２の読取情報を含む第２の面のシートとを備え、前記第１の面のシートを剥離することにより前記第２の面が現れる貼付物であって、台材と当該台材を覆う透明となる外装物とを備える梱包物において前記台材に貼り付けられ、前記第１の面の読取情報が携帯端末により梱包物の開封前に読み取られ、梱包物の開封後に前記第１の面のシートが剥離され携帯端末により第２の面の読取情報が読み取られる貼付物。
【発明の効果】
【００１２】
本発明によれば、第１の読取情報を含む第１の面と第２の読取情報を含む第２の面とを備える貼付物を用いて、利便性の高い正規品の判定を行うことができる。
【図面の簡単な説明】
【００１３】
【図１】正規品判定を行う情報処理システムのシステム構成の一例を示す図である
【図２】携帯端末１００のハードウェア構成を示す図である
【図３】クライアント端末１０１、正規品判定サーバ２００のハードウェア構成を示す図である
【図４】本実施形態での利用形態を示す模式図である
【図５】本実施形態でのシール４０１の詳細を示す図である
【図６】情報処理装置の機能構成を示す機能ブロック図である
【図７】システム管理者による事前設定処理のフローチャートである
【図８】二次元コード読取の判定処理における、携帯端末１００で二次元コード読取処理のフローチャートである
【図９】二次元コード読取の判定処理における、正規品判定サーバ２００での判定処理のフローチャートである
【図１０】二次元コード読取の判定処理における、携帯端末１００での判定結果表示処理のフローチャートである
【図１１】本実施形態で用いる設定情報の一例を示すデータ図である
【図１２】本実施形態で用いる各種記憶情報（二次元コードマスタなど）の一例を示すデータ図である
【図１３】正規品判定設定画面の一例を示すイメージ図である
【図１４】携帯端末１００で表示される各種判定結果画面の一例を示すイメージ図である
【図１５】シールを貼り付ける他の利用形態を示す模式図である
【発明を実施するための形態】
【００１４】
以下、図面を参照して、本発明の実施の形態の一例について説明する。
【００１５】
図１は、本発明の正規品判定を行う情報処理システムのシステム構成の一例を示す図である。本発明の情報処理システムは、携帯端末１００（Ａ）（Ｂ）、クライアント端末１０１、正規品判定サーバ２００が設置されている。それらの装置はネットワーク１０２（ＷＡＮ又はＬＡＮ）を介して相互にデータ通信可能に接続されている。
携帯端末１００は、無線通信可能なアクセスポイント１０３と通信可能となっている。アクセスポイント１０３は、携帯電話回線の基地局であってもよい。
なお、図１のネットワーク上に接続される各種端末あるいはサーバの構成は一例であり、用途や目的に応じて様々な構成例があることは言うまでもない。
【００１６】
携帯端末１００は、例えば商品のパッケージ４００に貼ってある二次元コードを含むシール４０１を携帯端末１００のカメラ２３を介して読み取る端末である。携帯端末１００は、これら読み取った情報（識別情報を含む読取情報）を正規品判定サーバ２００へ送信する。
【００１７】
正規品判定サーバ２００は、携帯端末１００から情報（識別情報を含む読取情報）を受信し、正規品判定を行い、正規品判定結果通知を携帯端末１００へ送信するサーバである。なお、本実施形態での 正規品判定サーバ２００は、クライアント端末と同様の汎用のコンピュータであってもよい。正規品判定サーバ２００は、各種データ（例えば、図１１、図１２）を記憶している。各種データはデータベース上で管理されていてもよい。さらに、外部のサーバ上で管理している構成であってもよい。
【００１８】
なお、二次元コードマスタ１２０１、１２０２を外部のサーバで記憶しておき、外部のサーバで二次元コードの識別情報が正規な情報であるか否かを判定するようにしてもよい。
【００１９】
クライアント端末１０１は、管理者装置であり、正規品判定サーバ２００と通信し、正規品判定に用いる設定情報の入力を実行する端末である。設定情報の入力を実行する画面の例が図１３である。
【００２０】
図２は、本発明の実施形態における携帯端末１００のハードウェア構成を示す図である。
【００２１】
携帯端末１００は、例えば携帯電話機やスマートフォン等の無線端末に相当し、無線部２１と、オーディオ入出力部２２と、カメラ２３と、表示部２４と、タッチパネル２５と、ＲＦＩＤチップ２６と、ＲＦＩＤ制御部２７と、記憶部２８と、プロセッサ２９（ＣＰＵともいう）と、ＧＰＳ制御部４０を有する。無線部２１は、無線アンテナ２１Ａと接続し、無線通信網との無線通信を司る通信インタフェースである。オーディオ入出力部２２は、スピーカ２２Ａ及びマイク２２Ｂと接続し、音声を入出力するインタフェースである。
アンテナ２１Ａとアクセスポイント１０３を介して、携帯端末１００と各装置が通信を行うものとする。
【００２２】
カメラ２３は、動画像が静止画像等の画像を撮像する機能である。本実施形態の二次元コードを撮影する撮影部である。表示部２４は、各種情報を画面表示する出力インタフェースである。タッチパネル２５は、表示部２４の表示画面と連携してタッチ操作を検出する入力インタフェースである。ＲＦＩＤチップ２６は、例えば、電子マネー等を記録した記録媒体である。ＲＦＩＤ制御部２７は、ＲＦＩＤアンテナ２７Ａと接続し、ＲＦＩＤシールのＲＦＩＤチップ（アンテナ含む）からの搬送波に応じてＲＦＩＤチップのＩＤを取得する部である。
【００２３】
記憶部２８は、ＲＯＭ（Ｒｅａｄ  Ｏｎｌｙ  Ｍｅｍｏｒｙ）２８Ａと、ＲＡＭ（Ｒａｎｄｏｍ  Ａｃｃｅｓｓ  Ｍｅｍｏｒｙ）２８Ｂと、内部ストレージ２８Ｃを有する。ＲＯＭ２８Ａは、例えば、オペレーティングシステムや専用読取アプリケーション（ＲＦＩＤや二次元コード読取アプリケーション）等の各種プログラムを記憶する領域である。また、ＲＯＭ２８Ａには、携帯端末１００の個体識別番号を記憶している。ＲＡＭ２８Ｂは、一時的に各種情報を記憶する領域である。内部ストレージ２８Ｃはハードディスクなどの記憶領域で、アプリケーションファイルや、文書や画像ファイルなどのデータを記憶する領域である。なお、内部ストレージ２８Ｃは、ＳＤカードに置き換えてもよい。
【００２４】
プロセッサ２９は、携帯端末１００全体を制御するものであり、具体的には例えばＣＰＵを示すものである。プロセッサ２９は、ＲＯＭ２８Ａに記憶された表示制御プログラムを読み出し、読み出された表示制御プログラムに基づき各種プロセスを機能として構成するものである。
【００２５】
プロセッサ２９は、二次元コード認識部３１と、ＲＩＦＤ情報取得部３２と、結果取得部３３とを機能として動作するものである。二次元コード認識部３１は、カメラ２３部のズーム機能やオートフォーカス機能を用いて、二次元コードを読み取り、画像認識する。そして、二次元コード認識部３１は、画像認識の結果により得られる二次元コード情報を取得する。この取得した二次元コード情報を正規品判定サーバ２００へ送信する。
【００２６】
ＲＩＦＤ情報取得部３２は、ＲＦＩＤ制御部２７を介して、ＲＦＩＤシールのＲＦＩＤチップから読み取られたＲＦＩＤ情報を取得する。ＲＦＩＤシールが用いられている場合には、この取得したＲＦＩＤ情報を正規品判定サーバ２００へ送信して正規品判定を行ったてもよい。
【００２７】
ＲＦＩＤ制御部２７は、ＲＦＩＤアンテナ２７Ａと接続し、ＲＦＩＤアンテナ２７Ａが読取検知用の搬送波を出力し、搬送波を用いてＲＦＩＤシールのＲＦＩＤチップと通信してＲＦＩＤチップからＲＦＩＤ情報を読み取る。搬送波は、ＨＦ（Ｈｉｇｈ  Ｆｒｅｑｕｅｎｃｙ）の周波数帯を使用した読取検知用の信号である。ＲＦＩＤアンテナ２７Ａは、読取エリアから所定送信距離のＲＦＩＤ通信範囲で搬送波を送信する。更に、ＲＦＩＤ読取部１２は、搬送波を用いて、ＲＦＩＤ通信範囲の内、ＲＦＩＤ読取範囲内に存在するＲＦＩＤシール内のＲＦＩＤチップと通信してＲＦＩＤチップから情報を読み取る。なお、ＲＦＩＤ読取範囲は、約２ｃｍ以内とする。
【００２８】
正規品判定サーバ２００から無線部２１を介して、二次元コード情報に関する結果を受信する。受信した結果を結果取得部３３で取得し、表示部２４に画面表示する。
ＧＰＳ制御部４０は、不図示のＧＰＳアンテナから得られる位置情報を取得する制御部である。
【００２９】
図３は、本発明の実施形態におけるクライアント端末１０１、正規品判定サーバ２００のハードウェア構成を示す図である。なお、正規品判定サーバ２００を情報処理装置として言い換えることが可能である。
ＣＰＵ３０１は、システムバス３０４に接続される各デバイスやコントローラを統括的に制御する。
【００３０】
また、ＲＯＭ３０２あるいは外部メモリ３１１（記憶）には、ＣＰＵ３０１の制御プログラムであるＢＩＯＳ（Ｂａｓｉｃ  Ｉｎｐｕｔ  ／  ＯｕｔｐｕｔＳｙｓｔｅｍ）やオペレーティングシステムプログラム（以下、ＯＳ）や、各サーバ或いは各ＰＣの実行する機能を実現するために必要な後述する各種プログラム等が記憶されている。ＲＡＭ３０３は、ＣＰＵ３０１の主メモリ、ワークエリア等として機能する。
ＣＰＵ３０１は、処理の実行に際して必要なプログラム等をＲＡＭ３０３にロードして、プログラムを実行することで各種動作を実現するものである。
また、入力コントローラ（入力Ｃ）３０５は、キーボード３０９や不図示のマウス等のポインティングデバイスからの入力を制御する。
【００３１】
ビデオコントローラ（ＶＣ）３０６は、ＣＲＴディスプレイ（ＣＲＴ）３１０等の表示器への表示を制御する。表示器はＣＲＴだけでなく、液晶ディスプレイでも構わない。これらは必要に応じて管理者が使用するものである。
【００３２】
メモリコントローラ（ＭＣ）３０７は、ブートプログラム、ブラウザソフトウエア、各種のアプリケーション、フォントデータ、ユーザファイル、編集ファイル、各種データ等を記憶するハードディスク（ＨＤ）やフロッピーディスク（登録商標  ＦＤ）或いはＰＣＭＣＩＡカードスロットにアダプタを介して接続されるカード型メモリ等の外部メモリ３１１へのアクセスを制御する。
【００３３】
通信Ｉ／Ｆコントローラ（通信Ｉ／ＦＣ）３０８は、ネットワークを介して、外部機器と接続・通信するものであり、ネットワークでの通信制御処理を実行する。例えば、ＴＣＰ／ＩＰを用いたインターネット通信等が可能である。
【００３４】
なお、ＣＰＵ３０１は、例えばＲＡＭ３０３内の表示情報用領域へアウトラインフォントの展開（ラスタライズ）処理を実行することにより、ＣＲＴ３１０上での表示を可能としている。また、ＣＰＵ３０１は、ＣＲＴ３１０上の不図示のマウスカーソル等でのユーザ指示を可能とする。
【００３５】
本実施形態の正規品判定サーバ２００が後述する各種処理を実行するために用いられる各種プログラム等は外部メモリ３１１に記録されており、必要に応じてＲＡＭ３０３にロードされることによりＣＰＵ３０１によって実行されるものである。さらに、本発明に係わるプログラムが用いる定義ファイルや各種情報テーブルは外部メモリ３１１に格納されている。
【００３６】
図４は、本発明の実施形態における正規品判定の利用形態を示す模式図である。
【００３７】
４００は、商品が外装によりパッケージされた商品パッケージを示している。このパッケージに対して二次元コードが印刷されたシール４０１（貼付物）が付与されている。
【００３８】
このシール４０１は、二次元コードが印刷された表層材１（４０１−１）と、表層材１の裏に形成されている粘着材１（４０１−２）と、表層材１の二次元コードとは異なる二次元コードが印刷された表層材２（４０１−３）と、表層材２の裏に形成されている粘着材２（４０１−４）で構成されている。なお、粘着材１と表層材２の間に、表層材２をコーティングする材料があってもよく、表層材１、粘着材１、表層材２、粘着材２の構造に限定されるものではない。「表層材１と粘着材１（１枚目シート）」「表層材２、粘着材２（２枚目シート）」それぞれ一体に構成されており、粘着材１と表層材２の間で１枚目シートと２枚目シートが剥がれる（分離される）構造となっている。粘着材１は、例えば、一度剥がすと、表層材２につかない材質となっている。なお、本実施形態では、最適な例として「表層材１と粘着材１」「表層材２、粘着材２」の２層構造となっているが、めくりにより次の層の面が現れ二次元コードを読み取ることが可能であれば、３層構造であってもよい。
【００３９】
外装４０３と台紙４０２は、パッケージ４００（商品を除く）を分離したものを示している。台紙４０２を覆う（一部又は全部）外装４０３は、透明な素材となっており、台紙４０２に貼り付けられたシール４０１をカメラ２３で撮影して読取することが可能になっている。外装４０３はプラスティック製のものでも、フィルム（ポリ塩化ビニリデン、ポリエチレン、ポリ塩化ビニル、ポリメチルペンテンなどの素材）でラップするものであってもよい。台紙４０２の素材は紙でなくてもＰＥＴ素材などでもあってもよい（台材ともいう）。
シール４０１は台紙に貼り付けられ、外装４０３で覆われ、パッケージを開封しないと１枚目シートを剥がすことができない構成となっている。
【００４０】
すなわち、シール４０１は、第１の読取情報を含む第１の面のシート（例えば、１枚目シート）と第２の読取情報を含む第２の面のシート（例えば、２枚目シート）とを備え、第１の面のシートを剥離することにより第２の面が現れる貼付物であって、台材（例えば、台紙４０２）を覆う透明となる外装物（例えば、外装４０３）とを備える梱包物（例えばパッケージ４００）において台材に貼り付けられ、貼付物の第１の面の読取情報が携帯端末により開封前に読み取られ、開封後に貼付物の第１の面のシートが剥離され携帯端末により第２の面の読取情報が読み取られる貼付物である。
【００４１】
図５は、シール４０１の詳細を示す図である。シール４０１において、１枚目シートがめくられ、２枚目シートと剥離された状態を示している。剥離することで２枚目シートの面の二次元コードが現れる構造となっている。
【００４２】
１枚目シート５０１と２枚目シート５０２に分離される。シートそれぞれに二次元コードが印刷されており、異なる識別情報を含む二次元コードとなっている。１枚目シールの二次元コードでは、正規品判定において購入前の簡易確認が可能であり、２枚目シールの二次元コードでは、正規品判定において購入後の正式確認が可能となっている。また、それぞれのシールには、二次元コードの他、読取に係る説明などが印刷されている。
【００４３】
本実施形態では、１枚目シート５０１と２枚目シート５０２の二次元コードは、正規品判定サーバ２００で対応付けて管理しない構成として説明する。しかしながら、シール４０１を生成する際に、１枚目シート５０１と２枚目シート５０２の二次元コードから読み取ることで得られる識別情報を対応付け、管理しておくことが可能な場合は、正規品判定サーバ２００で予め対応付けて管理しておいてもよい。
【００４４】
例えば、後述する図１２の二次元コードマスタ１２０１と二次元コードマスタ１２０２を対応付けて管理しておく。キーによって対応付けても、１つのマスター（テーブル）で管理する構成であってもよい。識別情報が対応付いて管理されている場合、後述のセルアウト登録では、２枚目シートの二次元コードが読み取られ、初回に正規と判定された場合に、２枚目シートの識別情報に対応する１枚目シートの識別情報を取得して、セルアウト情報１２２１に登録する。
【００４５】
図６は、本発明の実施形態における情報処理システムの機能構成を示す機能ブロック図である。
【００４６】
なお、情報処理システムは、物品の正規の判定に用いられる読取対象物（例えば、５０１や５０２）の識別情報（例えば、二次元コードに含まれる識別情報）である正となる識別情報（例えば、１２０１や１２０２）と、前記読取対象物の読取履歴（例えば、１２１１、１２１２）を記憶する記憶部と通信可能な情報処理装置（例えば、正規品判定サーバ２００）と携帯端末（例えば、携帯端末１００）を含む情報処理システムである。
【００４７】
正規品判定サーバ２００としての情報処理装置は、第１の記憶部６０１と、第１の取得部６０２と、第１の判定部６０３と、出力部６０４と、第２の取得部６０５と、登録部６０６
【００４８】
第２の判定部６０７と、第２の記憶部６０８と、決定部６０９を備えている。これらの機能部は、ＣＰＵ３０１により実行される。以下、各機能部について説明する。
【００４９】
第１の記憶部６０１は、第１の読取情報を含む第１の面のシートと第２の読取情報を含む第２の面のシートとを備え、前記第１の面のシートを剥がすことで前記第２の面の第２の読取情報を読み取ることが可能な貼付物のそれぞれの面に対応する読取情報の正となる識別情報を記憶する機能部である。
第１の取得部６０２は、前記第１の面又は前記第２の面の読取情報を携帯端末で読み取ることで得られる識別情報を取得する機能部である。
【００５０】
第１の判定部６０３は、前記第１の記憶部に記憶されている正となる識別情報に基づき、前記第１の取得部に取得された識別情報と一致するかを判定する機能部である。
【００５１】
出力部６０４は、前記第１の面の読取情報が読み取られ、前記第１の判定部により読取情報から得られた識別情報と一致が判定された場合に、正規であることを示す結果を出力し、前記第２の面の読取情報が繰り返し読み取られ、前記第１の判定部により繰り返し一致が判定される場合に、非正規扱いとなることを示す結果を出力する機能である。また、前記第２の面の読取情報が読み取られ、前記第１の判定部による一致が初回の判定であった場合に、正規であることを示す結果を出力する機能である。また、後述の第２の判定部により識別情報が登録されている場合には、登録済みであることを示す結果を出力する機能部である。
なお、非正規扱いとなることを示す結果は、前記第２の面が繰り返し読み取られ、正規でない可能性を示す結果である。
【００５２】
第２の取得部６０５は、前記第１の取得部で前記第２の面の読取情報を読み取ることで得られる識別情報を取得し、前記第１の判定部で識別情報が一致すると判定された場合に、前記第１の面の読取情報から得られる識別情報を取得する機能部ある。
登録部６０６は、前記第２の取得部により取得した第１の面の読取情報に対応する識別情報を登録する機能部である。
【００５３】
第２の判定部６０７は、前記第１の取得部で前記第１の面の読取情報を読み取ることで得られた識別情報を取得した場合、前記登録部により当該識別情報が記憶されているか否かを判定する機能部である。
第２の記憶部６０８は、前記第１の面および前記第２の面に対応する読取情報から得られた識別情報の判定に係る設定情報を記憶する機能部である。
【００５４】
決定部６０９は、前記第１の判定部により、識別情報が一致すると判定された場合に、それぞれの面に対応する前記第２の記憶部に記憶されている設定情報に従って、判定結果を決定する機能部である。
【００５５】
次に、図７〜図１０のフローチャートを用いて、本実施形態における処理について詳細に説明する。
まず、図７のフローチャートについて説明する。図７は、正規品判定を利用する企業などのシステム管理者による事前設定処理を示す図である。
【００５６】
ステップＳ７０１では、クライアント端末１０１のＣＰＵが、正規品判定サーバ２００にアクセスし、ユーザによる入力された企業コードを用いて、ログイン処理を行う。具体的にはＵＲＬを指定して正規品判定サーバ２００にアクセスし、ブラウザを介して、企業コードとパスワードの入力を受け付け、ログイン処理（認証）を行う。
ログインができた場合、クライアント端末１０１で、ログインした企業が、正規品判定をする商品を、ユーザにより選択を受け付ける。
【００５７】
ステップＳ７０２では、正規品判定サーバ２００のＣＰＵが、選択を受け付けた商品が、が２層シール（４０１）を利用する商品かを特定する。具体的には、選択した商品Ａに対して複数（１枚目と２枚目）の設定が可能かを特定する。図１１に示すように、２層シールを利用できる商品は、例えば、１１０１と１１０２の設定が可能となっている。商品Ａから商品Ａ１，商品Ａ２が特定できる。なお、初期設定では、条件等はＮＵＬＬ値が設定されている。
【００５８】
ステップＳ７０３では、正規品判定サーバ２００のＣＰＵが、２層シールを用いる商品に設定する条件を指定する設定画面（正規品判定設定画面）を生成し、クライアント端末１０１へ送信する。
ステップＳ７０４では、クライアント端末１０１のＣＰＵが、正規品判定設定画面を受信して、表示する。
【００５９】
ステップＳ７０５では、クライアント端末１０１のＣＰＵが、正規品判定設定画面で設定情報を受け付ける。正規判定画面で設定情報を受け付けた設定情報を、正規品判定サーバ２００に送信する。正規判定画面で設定情報を受け付けた例を、図１３に示す。
ここで、図１３について説明する。図１３は、正規品判定設定画面の一例を示す図である。この正規品判定設定画面で、正規品判定する際の条件を設定する。
１３００〜１３０６は、１枚目シート（１層目）に対する設定項目である。
１３００は、商品名を示す項目であり、正規品判定サーバ２００で保持している情報（商品Ａ１）が表示されている。
【００６０】
１３０１は、複数回判定時に正規品通知する際の設定項目であり、本実施形態では、判定回数の設定を示す項目として「正規品表示：上限なし」に設定する。表示色、表示文言は任意に設定されるが、図１３の例では、「青」「正規品です（簡易確認）」と入力されている例となっている。
【００６１】
１３０２は、設定回数以上の読み取り（判定）があった場合の設定項目である。１３０１で設定した判定回数を超える判定があった場合の設定であるため、本実施形態では、設定が不要である。これは、「正規品表示：上限なし」と設定しているためである。
【００６２】
１３０３は、判定した結果、図１２の１２０１の二次元コードマスタと読取により得られた二次元コードの識別番号が一致しなかった場合の設定項目である。表示色、表示文言は任意に設定されるが、図１３の例では、「赤」「非正規品です」と入力されている例となっている。
【００６３】
その他、１３０４は、直近履歴表示を設定する項目であり、読取した結果に前回の判定日時を表示するか否かの項目である。１３０５は、端末識別をして判定を行うかを設定する項目であり、異なる端末からの読み取りがあった場合に、判定回数をカウントアップするための項目である。１３０６は、非正規の判定がされた場合にメール通知するための項目である。これら１３０４〜１３０６は、使用しないためＯＦＦの設定例となっている。
１３１０〜１３１３は、２枚目シート（２層目）に対する設定項目である。
１３１０は、１３００と同様の項目であり、商品名を示す項目である。正規品判定サーバ２００で保持している情報（商品Ａ２）が表示されている。
【００６４】
１３１１は、１３０１と同様の項目であり、複数回判定時に正規品通知する際の設定項目である。本実施形態では、判定回数の設定を示す項目として「正規品表示：１回のみ」に設定する。これは購入した際に、１度判定すればよいためで。複数回に設定することも可能であるが、不正を減らすために、１回を設定することが望ましい。表示色、表示文言は任意に設定されるが、図１３の例では、「青」「正規品です（正式確認）」と入力されている例となっている。
【００６５】
１３１２は、１３０２と同様の項目であり、設定回数以上の読み取り（判定）があった場合の設定項目である。１３１１で設定した判定回数を超える判定があった場合の設定であり、２枚目シートの場合には、設定を行う。つまり、２回以上判定がされた場合に表示する設定である。図１３の例では、「黄」「非正規品の可能性があります」と入力されている例となっている。
【００６６】
１３１３は、１３０３と同様の項目であるため、説明を省略する。また、１３０４〜１３０６と同様の設定項目を有しており、ここではすべて「ＯＮ」の設定の例となっている。
なお、表示色は他の項目と重複しないように排他制御されるものとする
ステップＳ７０６では、正規品判定サーバ２００のＣＰＵが、設定情報を受信する。
【００６７】
ステップＳ７０７では、正規品判定サーバ２００のＣＰＵが、受信した設定情報を設定テーブル（データベースであってもよい）に記憶する。設定情報を記憶した例を図１１に示す。
【００６８】
ここで図１１について説明する。１１００が設定情報であり、シール４０１の１層目の設定が１１０１に記憶されている。すなわち、１３０１〜１３０６の情報を記憶している。
【００６９】
また、シール４０１の２層目の設定が１１０２に記憶している。すなわち１３１１〜１３１３などの情報を記憶している。すなわち、設定情報１１００は、第１の面および第２の面に対応する読取情報から得られた識別情報の判定に係る設定情報を記憶する第２の記憶手段の一例を示すものである。
【００７０】
次に、図８のフローチャートについて説明する。図８は、二次元コード読取の判定処理における、携帯端末１００で二次元コード読取処理を示す図である。
【００７１】
ステップＳ８０１では、携帯端末１００のＣＰＵが、ユーザの操作に応じて、携帯端末１００にインストールされている読取アプリケーションを起動する。読取アプリケーションは、二次元コードを読み取る汎用のアプリケーションでも、正規品判定サーバ２００と連携する専用のアプリケーションであってもよい。専用のアプリケーションの方が、利便性が高いことは言うまでもない。また、専用のアプリケーションである場合には、独自に暗号化した二次元コードなど様々なタイプの二次元コードを用いることが可能である。
【００７２】
ステップＳ８０２では、携帯端末１００のＣＰＵが、カメラ２３を起動し、シール４０１の二次元コードを撮影し、二次元コード画像を取得（読取）する。二次元コード画像の読み取り画面が１４０１である。この取得した二次元コード画像から、アプリケーションが読取情報を取得する。ここで取得できる読取情報は、例えば、「ＵＲＬ＋正規品判定に用いるユニークＩＤ（識別情報）」である。なおユニークＩＤは、正規品判定サーバ２００で認識できるＩＤとなっており、ユーザが閲覧してもどのようなＩＤになっているか識別できないようになっている。
【００７３】
ステップＳ８０３では、携帯端末１００のＣＰＵが、取得された読取情報を用いて、正規品判定サーバ２００にアクセスし、識別情報を通知する。例えば、携帯端末１００は、ブラウザを立ち上げ、ＨＴＴＰ通信によって正規品判定サーバ２００に対して通信を行う。正規のシールでは、二次元コードマスタ１２０１、１２０２に登録されている識別情報（二次元コード情報）がＵＲＬの末尾に付加されている。従って、ＵＲＬを用いて正規品判定サーバ２００にアクセスすることで、正規品判定サーバ２００は二次元コード情報（識別情報）を取得することが可能である。
また、専用のアプリケーションの場合、ＧＰＳで得られた位置情報や携帯端末１００の端末ＩＤも合わせて正規品判定サーバ２００に送信する。
【００７４】
次に、図９のフローチャートについて説明する。図９は、二次元コード読取の判定処理における、正規品判定サーバ２００での判定処理を示す図である。
【００７５】
ステップＳ９０１では、正規品判定サーバ２００のＣＰＵが、二次元コード情報の識別情報を携帯端末１００から受信する。なお、専用アプリケーションからのアクセスによる識別情報の受信の場合は、端末ＩＤ、位置情報を含む読取情報を受信する。
すなわち、第１の面又は第２の面の読取情報を携帯端末で読み取ることで得られる識別情報を取得する第１の取得処理の一例を示すステップである。
【００７６】
ステップＳ９０２では、正規品判定サーバ２００のＣＰＵが、簡易確認（１枚目の二次元コードの判定）か正式確認（２枚目の二次元コードの判定）を判断する。簡易確認の場合には、ステップＳ９０３へ処理を移す。正式確認の場合には、ステップＳ９１１へ処理を移す。
【００７７】
簡易確認か、正式確認の判定は、受信した識別情報の構造から判定する。例えば、どの二次元コードマスタを用いて確認するかを特定する情報が識別情報に含まれている。また、二次元コードから「ＵＲＬ＋簡易フラグ＋識別情報」を取得して、この簡易フラグを用いて判定してもよい。
【００７８】
ステップＳ９０３では、正規品判定サーバ２００のＣＰＵが、識別情報を取得する。すなわち、第１の面又は第２の面の読取情報を携帯端末で読み取ることで得られる識別情報を取得する第１の取得処理の一例を示すステップである。
【００７９】
そして、正規品判定サーバ２００のＣＰＵが二次元コードマスタ１２０１を参照して、一致する識別情報が登録されているか否かを判定する。登録されていると判定された場合には、ステップＳ９０６へ処理を移す。登録されていないと判定された場合には、ステップＳ９０４へ処理を移す。
すなわち、正となる識別情報に基づき、取得された識別情報と一致するかを判定する第１の判定処理の一例を示すステップである。
【００８０】
ステップＳ９０４では、正規品判定サーバ２００のＣＰＵが、識別情報が二次元コードマスタ１２０１、１２０２に登録されていないかったため、正規品判定サーバ２００のＣＰＵが、非正規品情報テーブル（不図示）に識別情報を登録する。非正規品登録された場合に、設定情報１１００のメール通知項目に設定されているメールアドレスに非正規品登録されたことを示すメールを送信する。
【００８１】
なお、二次元コードマスタ１２０１、１２０２が、第１の読取情報を含む第１の面のシートと第２の読取情報を含む第２の面のシートとを備え、前記第１の面のシートを剥がすことで前記第２の面の第２の読取情報を読み取ることが可能な貼付物のそれぞれの面に対応する読取情報の正となる識別情報を記憶する第１の記憶手段の一例を示すものである。
【００８２】
ステップＳ９０５では、正規品判定サーバ２００のＣＰＵが、非正規品判定情報を取得する。非正規品判定情報とは、設定情報１１００の正規品条件の不一致の場合の表示文言である。この非正規品判定情報を含む判定結果を、正規品判定サーバ２００のＣＰＵが生成する。
すなわち、第１の面又は第２の面に対応する設定情報に従って、判定結果を決定する決定処理の一例を示すステップである。
【００８３】
ステップＳ９０６では、正規品判定サーバ２００のＣＰＵが、セルアウト情報１２２１を参照し、受信した識別情報がセルアウト（販売済み商品）されているか否かを判定する。セルアウトされている場合には、ステップＳ９１０へ処理を移す。セルアウトされていない場合にはステップ、ステップＳ９０７へ処理を移す。すなわち、第２の判定処理の一例を示すステップである。
【００８４】
ステップＳ９０７では、正規品判定サーバ２００のＣＰＵが、図１１の１１０１の設定情報に従って、正規品判定結果を生成する。ここでは、１枚目の識別情報が二次元コードマスタに一致し、セルアウトもされていないため、表示情報「正規品です（簡易確認）」を取得し、この表示情報である簡易正規品判定情報含む判定結果を生成する。
すなわち、第１の面に対応する設定情報に従って、判定結果を決定する決定処理の一例を示すステップである。
【００８５】
これにより、何度読み取られても正規を示す判定結果を通知できるため、購入前に１枚目シートの二次元コードが読み取らせ、購入予定者による簡易的な正規品判定を行わせることができる。特に、簡易的であっても購入予定者は偽造品でないことを認識でき、安心して購入につなげることができる。
なお、ステップＳ９０６とステップＳ９０７の間に、履歴照合してもよいが、１枚目の設定情報が上限なしであるため、履歴照合しない構成となっている。
【００８６】
ステップＳ９０８では、正規品判定サーバ２００のＣＰＵが、履歴情報である、判定履歴１２１１に記憶する。初めての場合には識別情報とカウント１を記録し、繰り返し読み取られている場合には、識別情報が一致するレコードのカウントを１アップする。
【００８７】
ステップＳ９０９では、正規品判定サーバ２００のＣＰＵが、生成した判定結果を携帯端末１００へ送信する。判定結果の送信は、前述したＳ９０５、Ｓ９０７のほか、後述するＳ９１０、Ｓ９１４、Ｓ９１５で生成された判定結果を送信する。
【００８８】
すなわち、第１の面の読取情報が読み取られ、識別情報の一致が判定された場合に、正規であることを示す結果を出力し、第２の面の読取情報が繰り返し読み取られ、繰り返し識別情報の一致が判定される場合に、非正規扱いとなることを示す結果を出力する出力処理の一例を示すステップである。また、第２の面の読取情報が読み取られ、識別情報の一致が初回の判定であった場合に、正規であることを示す結果を出力する処理の一例でもある。
【００８９】
ステップＳ９１０では、正規品判定サーバ２００のＣＰＵが、セルアウト情報（判定結果）を生成する。セルアウト情報とは、販売済み商品であることを示す情報である。セルアウト情報も任意の文字列を設定でき、この設定された情報を用いてもよい。
【００９０】
なお、設定情報１１００でセルアウト時であっても、正規品（簡易確認）の結果としたい場合には、ステップＳ９０７の判定結果を送信してもよい。また、セルアウト情報＋正規品（簡易確認）の組み合わせた判定結果を送信してもよい。
【００９１】
ステップＳ９１１では、正規品判定サーバ２００のＣＰＵが、識別情報を取得する。そして、正規品判定サーバ２００のＣＰＵが、二次元コードマスタ１２０２を参照して、一致する識別情報が登録されているか否かを判定する。登録されていると判定された場合には、ステップＳ９１２へ処理を移す。登録されていないと判定された場合には、ステップＳ９０４へ処理を移す。
ステップＳ９１２では、正規品判定サーバ２００のＣＰＵが、履歴照合をする。履歴照合情報である、判定履歴１２１２を参照する。
【００９２】
ステップＳ９１３では、正規品判定サーバ２００のＣＰＵが、判定履歴１２１２に識別情報があるかを判定する。識別情報がある場合（本実施形態では、カウンタ１の場合）には、ステップＳ９１４へ処理を移す。識別情報がない、すなわち初回の判定となる場合には、ステップＳ９１５へ処理を移す。
【００９３】
ステップＳ９１４では、正規品判定サーバ２００のＣＰＵが、設定情報１１０２に従って、非正規品可能性判定情報を取得し、非正規品判定情報を含む判定結果を生成する。非正規品可能性判定情報とは、設定情報１１０２の「設定回数以上」に対応する文言で、本実施形態では、「非正規品の可能性があります」となる。
すなわち、第２の面に対応する設定情報に従って、判定結果を決定する決定処理の一例を示すステップである。
【００９４】
これにより、購入後に２枚目シートの二次元コードが読み取らせ、正式な正規品を判定することができ、また、２枚目シートの二次元コードが繰り返し読み取られた場合には、非正規でない可能性があることを示す判定結果を通知することができるため、もし不正に複製されたシールが流通し（同じ識別情報を持つシールが多数市場に出回る）、偽造品を購入してしまったとしても、購入者が偽造品の可能性を認識できる。購入者は偽造品の可能性を認識できた場合には、メーカーに問い合わせて交換することが可能であるため、２枚目シートを読み取ることによるメリットを享受できる。
【００９５】
また、このような１枚目シートをめくり、２枚目シートの二次元コードを読み取るシールを用いて正規品を判定するようにすることで、複製された不正なシールの流通を防ぐことにも効果がある。
【００９６】
ステップＳ９１５では、正規品判定サーバ２００のＣＰＵが、正規品判定情報を取得し、正規品判定情報を含む判定結果を生成する。正規品判定情報とは、設定情報１１０２の「１回のみ」に対応する文言で、本実施形態では、「正規品です（正式確認）」となる。
すなわち、第２の面に対応する設定情報に従って、判定結果を決定する決定処理の一例を示すステップである。
【００９７】
ステップＳ９１６では、正規品判定サーバ２００のＣＰＵが、履歴情報である、判定履歴１２１２に記憶する。初めての場合には識別情報とカウント１を記録し、繰り返し読み取られている場合には、識別情報が一致するレコードのカウントを１アップする。
【００９８】
本実施形態における判定結果は、汎用のアプリケーションで二次元コードを読み取った場合には、ブラウザで表示するＨＴＭＬデータ（表示データ）となる。このとき、設定情報の色情報を基にＨＴＭＬデータを生成する。また、専用のアプリケーションであれば、専用のアプリケーションが認識できるデータとなる。設定情報の色情報も合わせて送信して、専用のアプリケーションで色を用いた表示をする。ユーザが判定結果を識別し易いように表示される。
【００９９】
次に、図１０のフローチャートについて説明する。図１０は、二次元コード読取の判定処理における、携帯端末１００での判定結果表示処理を示す図である。
ステップＳ１００１では、携帯端末１００のＣＰＵが、判定結果を正規品判定サーバ２００から受信する。
ステップＳ１００２では、携帯端末１００のＣＰＵが、受信した判定結果に従って、判定結果を表示する。表示画面の例を図１４に示す。
【０１００】
図１４の１４０２〜１４０６は、判定結果の表示例の一例を示す図である。ステップＳ９０７で生成された判定結果の表示例が１４０２である。ステップＳ９１０で生成された判定結果の表示例が１４０３である。ステップＳ９１５で生成された判定結果の表示例が１４０４である。ステップＳ９１４で生成された判定結果の表示例が１４０５である。ステップＳ９０５で生成された判定結果の表示例が１４０６である。なお、１４０４の正規品と判定された結果（正式確認）の場合には、セルアウト登録することが可能となっており、二次元コードが不正に利用されることを防止することを可能としている。セルアウト登録する場合には、１枚目シートの二次元コードの読取を行うため、１４０７の押下を受け付ける。
【０１０１】
ステップＳ１００３では、携帯端末１００のＣＰＵが、セルアウト指示（１４０７の押下）があったか否かを判定する。セルアウト指示がない場合（例えば、１４０２〜１４０６のＯＫボタンの押下）には、処理を終了する。セルアウト指示がある場合には、ステップＳ１００４へ処理を移す。
【０１０２】
ステップＳ１００４では、携帯端末１００のＣＰＵが、１枚目シートの二次元コードの読み取りを行い、識別情報を取得する。二次元コードの読み取り制御については、ブラウザで判定結果を表示している場合には、ＨＴＭＬデータ内のスクリプトを用いて、カメラを起動して読取を行う。また、専用のアプリケーションを用いて判定結果を表示している場合には、専用のアプリケーションで二次元コードの読取画面を表示して、二次元コードの読み取りを行わせ、識別情報を取得する。
【０１０３】
ステップＳ１００５では、携帯端末１００のＣＰＵが、取得した識別情報（１枚目シートの識別情報）を正規品判定サーバ２００に送信する。なお、ブラウザを用いている場合には、２枚目シートの二次元コードの読み取りの判定を行っているセッション（同一セッション）にて、識別情報を送信する。これにより、先に送信した識別情報（２枚目シート）と今回送信した識別情報（１枚目）を対応付けて登録することが可能である。
ステップＳ１００６では、携帯端末１００のＣＰＵが、識別情報を受信する。すなわち、第２の取得処理の一例を示すステップである。
【０１０４】
ステップＳ１００７では、携帯端末１００のＣＰＵが、先に取得している識別情報（２枚目シート）と、受信した識別情報（１枚目シート）をセルアウト情報１２２１に登録する。セルアウト情報１２２１は、二次元コード情報（１枚目）１２２２、二次元コード情報（２枚目）１２２３、位置情報１２２４、登録時間１２２５、端末ＩＤ１２２６で構成されている。二次元コード情報（１枚目）１２２２は、識別情報（１枚目シート）が登録される。二次元コード情報（２枚目）１２２３は、識別情報（２枚目シート）が登録される。登録時間１２２５は、セルアウト情報１２２１に登録する時間が登録される。位置情報１２２４と端末ＩＤ１２２６は、専用のアプリケーションの場合に登録されるものとし、携帯端末１００から受信して登録する。また、専用のアプリケーションを用いていない場合、ＮＵＬＬであってもよい。すなわち、登録処理の一例を示すステップである。
セルアウト情報１２２１に登録がされるとセルアウト登録完了情報を携帯端末１００に送信する。
ステップＳ１００８では、携帯端末１００のＣＰＵが、セルアウト登録完了情報を受信して、携帯端末１００に表示する（不図示）。
【０１０５】
次に図１５について説明する。図４の他の形態について示した図である。図４で詳述したように、本実施形態では、外装４０３と台紙４０２の間にシール４０１が貼りついている構成としたが、購入後に剥がすことを前提にした場合は、図１５のように外装４０３の上にシール４０１が貼り付けてもよい。また、台紙４０２の裏面に貼り付ける構成であってもよい。
【０１０６】
なお、図１５の例の場合には、１枚目には、「購入後にシールを剥がしてください」「購入後に２枚目で正式確認できます」といった説明を印刷しておくことが望ましい。
【０１０７】
以上説明したように、本実施形態によれば、第１の読取情報を含む第１の面と第２の読取情報を含む第２の面とを備える貼付物を用いて、利便性の高い正規品の判定を行うことができる。
【０１０８】
また、第１の面の二次元コードは繰り返し読み取られても、正しい識別情報であれば正規と判定し結果を返し、第２の面の二次元コードは、初回は正しい識別情報であれば正規と判定して結果を返し、２回目以降は正しい識別情報であっても非正規の可能性を返すため、不正なシールが出回ることを防ぎ、購入者も正規品の商品を入手しやすくなる。すなわち、非正規品や不正品の流通を防ぐことができる。
【０１０９】
さらに、第１の読取情報を含む第１の面のシート（１枚目）と第２の読取情報を含む第２の面のシート（２枚目）とを備え、前記第１の面のシートを剥離することにより前記第２の面が現れる正規品判定するための貼付物であって、台材と台材を覆う透明となる外装物とを備える梱包物において前記台材に貼り付けられ、前記貼付物の第１の面の読取情報が携帯端末により梱包物の開封前に読み取られ、梱包物の開封後に前記貼付物の第１の面のシートが剥離され携帯端末により第２の面の読取情報が読み取られる貼付物といった、利便性のよい、使い勝手の良いシールにより、非正規品や不正品の流通を防ぐ、購入者に正規判定を容易に行わせることができるという効果がある。
【０１１０】
本発明は、例えば、システム、装置、方法、プログラム若しくは記憶媒体等としての実施形態も可能であり、具体的には、複数の機器から構成されるシステムに適用してもよいし、また、１つの機器からなる装置に適用してもよい。
【０１１１】
なお、本発明は、前述した実施形態の機能を実現するソフトウェアのプログラムを、システム或いは装置に直接、或いは遠隔から供給するものを含む。そして、そのシステム或いは装置のコンピュータが前記供給されたプログラムコードを読み出して実行することによっても達成される場合も本発明に含まれる。
【０１１２】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【０１１３】
その場合、プログラムの機能を有していれば、オブジェクトコード、インタプリタにより実行されるプログラム、ＯＳに供給するスクリプトデータ等の形態であってもよい。
【０１１４】
プログラムを供給するための記録媒体としては、例えば、フレキシブルディスク、ハードディスク、光ディスク、光磁気ディスク、ＭＯ、ＣＤ−ＲＯＭ、ＣＤ−Ｒ、ＣＤ−ＲＷなどがある。また、磁気テープ、不揮発性のメモリカード、ＲＯＭ、ＤＶＤ（ＤＶＤ−ＲＯＭ，ＤＶＤ−Ｒ）などもある。
【０１１５】
その他、プログラムの供給方法としては、クライアントコンピュータのブラウザを用いてインターネットのホームページに接続する。そして、前記ホームページから本発明のコンピュータプログラムそのもの、若しくは圧縮され自動インストール機能を含むファイルをハードディスク等の記録媒体にダウンロードすることによっても供給できる。
【０１１６】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【０１１７】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせる。そして、ダウンロードした鍵情報を使用することにより暗号化されたプログラムを実行してコンピュータにインストールさせて実現することも可能である。
【０１１８】
また、コンピュータが、読み出したプログラムを実行することによって、前述した実施形態の機能が実現される。その他、そのプログラムの指示に基づき、コンピュータ上で稼動しているＯＳなどが、実際の処理の一部又は全部を行い、その処理によっても前述した実施形態の機能が実現され得る。
【０１１９】
さらに、記録媒体から読み出されたプログラムが、コンピュータに挿入された機能拡張ボードやコンピュータに接続された機能拡張ユニットに備わるメモリに書き込まれる。その後、そのプログラムの指示に基づき、その機能拡張ボードや機能拡張ユニットに備わるＣＰＵなどが実際の処理の一部又は全部を行い、その処理によっても前述した実施形態の機能が実現される。
【０１２０】
なお、前述した実施形態は、本発明を実施するにあたっての具体化の例を示したものに過ぎず、これらによって本発明の技術的範囲が限定的に解釈されてはならないものである。即ち、本発明はその技術思想、又はその主要な特徴から逸脱することなく、様々な形で実施することができる。
【符号の説明】
【０１２１】
１００  携帯端末
１０１  クライアント装置
２００  正規品判定サーバ
１０３  ネットワーク
２９    プロセッサ
２４    表示部
３０１  ＣＰＵ
３０２  ＲＯＭ
３０３  ＲＡＭ
【図１】
2018055529.tif 000003
【図２】
2018055529.tif 000004
【図３】
2018055529.tif 000005
【図４】
2018055529.tif 000006
【図５】
2018055529.tif 000007
【図６】
2018055529.tif 000008
【図７】
2018055529.tif 000009
【図８】
2018055529.tif 000010
【図９】
2018055529.tif 000011
【図１０】
2018055529.tif 000012
【図１１】
2018055529.tif 000013
【図１２】
2018055529.tif 000014
【図１３】
2018055529.tif 000015
【図１４】
2018055529.tif 000016
【図１５】
2018055529.tif 000017